(57)【特許請求の範囲】
【請求項１】
回動自在に連結された一対の枠体に、洗濯物を吊持する複数固のピンチと、一対の当該枠体を水平に懸架するとともに、剛性を有するワイヤ部材を介してフック部材を設けた折り畳み式の物干し具において、
上記枠体は、対向配置された第一枠辺と、これら第一枠辺の一端部間に連続する第二枠辺とにより、少なくとも略コ字状に一体成形されているとともに、各々の上記枠体の第一枠辺の他端部同士が回動自在に連結されてなり、
上記ワイヤ部材は、少なくとも４本用いられ、各々の一端部が上記枠体の上記第一枠辺と上記第二枠辺との間の角隅部近傍に回動自在に連結されているとともに、各々の他端部が上記枠体の上記第一枠辺の上記他端部近傍に回動自在に設けられ、かつ各々の当該一端部と当該他端部との間に形成された屈曲部において上記フック部材に回転自在に接続されているとともに、各々の上記他端部から上記屈曲部までの一辺が、平面視において上記一対の枠体の回動軸に対して平行に配設されていることを特徴とする折り畳み式物干し具。
【発明の詳細な説明】
【技術分野】
【０００１】
本発明は、折り畳み可能に連結された枠体に懸架された複数個のピンチに、洗濯物を吊して干すための折り畳み式物干し具に関するものである。
【背景技術】
【０００２】
一般に、折り畳み式の物干し具は、一対の枠体が回動自在に連結されて形成されている。この折り畳み式の物干し具は、安価で取り扱い易い合成樹脂製ものが数多く使用されている。この合成樹脂製の物干し具は、容易に製造することができるため、使用する場所や用途に応じて、様々な大きさに成形され、大量生産されて市場に出回っている。このため、一般の家庭においては、複数を所有して、使用する場所や用途に応じて使い分けている。
【０００３】
また、これら折り畳み式の物干し具には、一度に複数枚の洗濯物を吊すために、複数個のピンチが上記一対の枠体に懸架されている。そのため、この折り畳み式の物干し具を折り畳んだ状態で、棚やラックなどに収納し易いように、当該ピンチが取り付けられている側に折り畳む、いわゆる内折り構造のものが多く採用されている。この内折り構造の折り畳み式の物干し具を用いることにより、折り畳んだ２つの枠体の内側に上記ピンチが収まり、棚やラックなどに収納する際に、上記ピンチが邪魔になることがない。また、複数の折り畳み式の物干し具を一箇所に収納しても、互いの上記ピンチ同士が絡まることがないため、出し入れをスムーズに行うことができる。
【０００４】
ところが、この内折りタイプの折り畳み式の物干し具は、上記一対の枠体とフック部材とを接続するために、２本のチェーンまたはワイヤ部材が用いられている。これにより、上記一対の枠体は、２本のチェーンまたはワイヤ部材によって、回動自在に連結された連結部から離反した位置を４点で支持し、上記フック部材によって水平に懸架されている。そのため、トレーナやジーンズなど、水分を含むと重くなる洗濯物を吊した際に、その荷重を２本のチェーンまたはワイヤ部材によって受けるため、合成樹製の枠体が撓んで破損したり、回動自在に連結された上記一対の連結部に、折り畳み方向とは逆の回転モーメントが作用して、当該連結部が破損したりしてしまうという問題がある。
【０００５】
そこで、従来の物干し具は、上記一対の枠体に剛性を持たせるために、例えば、下記特許文献１に示すように、枠体に桟部材を複数配設するとともに、上記枠体を吊り下げる吊下杆を剛性を有するワイヤ部材を用いて、合成樹脂製の枠体が洗濯物の重さにより撓むのを防いでいる。
【０００６】
しかしながら、上記従来の折り畳み式の物干し具は、物干し具自体の重量が嵩んでしまい、この折り畳み式の物干し具を物干し竿などに掛けたり、または外したりする際に、腕や肩への負担が大きく、日々行われる洗濯作業の支障となってしまうという問題があるとともに、使用する材料も増加するため、製造コストが嵩むという問題もある。
【０００７】
また、内折り構造の上記折り畳み式の物干し具は、上記一対の枠体の連結部から離反した位置を支持する２本のワイヤ部材を介して、フック部材により水平に懸架されるため、上記一対の枠体に加わる洗濯物の荷重によって、上記一対の枠体の連結部に、折り畳み方向とは逆の回転モーメントが作用して、当該連結部に負担が生じてしまうという問題もある。
【先行技術文献】
【特許文献】
【０００８】
【特許文献１】特開２００６−４３００６号公報
【発明の概要】
【発明が解決しようとする課題】
【０００９】
本発明は、かかる事情に鑑みてなされたもので、軽量であるとともに、枠体に剛性を持たせることが可能な折り畳み式物干し具を提供することを課題とするものである。
【課題を解決するための手段】
【００１０】
上記課題を解決するために、請求項１に記載の発明は、回動自在に連結された一対の枠体に、洗濯物を吊持する複数固のピンチと、一対の当該枠体を水平に懸架するとともに、剛性を有するワイヤ部材を介してフック部材を設けた折り畳み式の物干し具において、上記枠体は、対向配置された第一枠辺と、これら第一枠辺の一端部間に連続する第二枠辺とにより、少なくとも略コ字状に一体成形されているとともに、各々の上記枠体の第一枠辺の他端部同士が回動自在に連結されてなり、上記ワイヤ部材は、少なくとも４本用いられ、各々の一端部が上記枠体の上記第一枠辺と上記第二枠辺との間の角隅部近傍に回動自在に連結されているとともに、各々の他端部が上記枠体の上記第一枠辺の上記他端部近傍に回動自在に設けられ、かつ各々の当該一端部と当該他端部との間に形成された屈曲部において上記フック部材に回転自在に接続されているとともに、各々の上記他端部から上記屈曲部までの一辺が、平面視において上記一対の枠体の回動軸に対して平行に配設されていることを特徴とするものである。
【発明の効果】
【００１２】
請求項１に記載の本発明によれば、略コ字状に形成された各々の枠体の他端部同士が回動自在に連結された一対の枠体に接続されたワイヤ部材が、少なくとも４本用いられ、各々の当該ワイヤ部材の一端部が、各々の上記枠体に対向配置された第一枠辺と第二枠辺との角隅部近傍に回動自在に接続されているとともに、他端部が各々の上記枠体に対向配置された上記第一枠辺の上記他端部近傍に回動自在に接続され、かつ上記ワイヤ部材の上記一端部と上記他端部との間に形成された屈曲部に、フック部材が回動自在に接続されているため、上記一対の枠体を上記フック部材により水平に懸架する際に、上記一対の枠体の各々の上記他端部近傍により４点、当該他端部から離反した各々の上記角隅部近傍により４点の計８点で支持することができる。これにより、トレーナやジーンズなど水分を含むと重くなる洗濯物を複数のピンチにより吊した場合、上記一対の枠体に加わる荷重を少なくとも４本の上記ワイヤ部材によって受けることができ、上記一対の枠体が撓むことがないとともに、上記一対の枠体を回動自在に連結している連結部に、折り畳み方向とは逆の回転モーメントが作用せず、当該連結部への負担を軽減させることができる。
【００１３】
また、上記一対の枠体を少なくとも４本の上記ワイヤ部材により、各々の上記他端部近傍と、この他端部から離反した各々の上記角隅部とを支持することで、上記一対の枠体に剛性を持たせることができるため、上記一対の枠体が内折り構造であっても、上記枠体に配設する桟部材や上記枠体の用いられる材料を抑えて、軽量化を図ることができる。この結果、製造コストを抑えることができるとともに、物干し竿などに掛けたり、または外したりする際に、腕や肩への負担を軽減させることができる。
【００１４】
加えて、上記ワイヤ部材の各々の上記他端部から上記屈曲部までの一辺が、平面視において、上記一対の枠体の回動軸に対して平行に配設されているため、回動自在に連結された上記一対の枠体を折り畳んだり、開いたりする際に、上記ワイヤ部材と回動自在に接続された上記フック部材とをスムーズに回動させることができ、上記一対の枠体の開閉を容易に行うことができる。
【図面の簡単な説明】
【００１５】
【図１】本発明の折り畳み式物干し具の一実施形態を示す斜視図である。
【図２】本発明の折り畳み式物干し具の一実施形態を示す平面図である。
【図３】本発明の折り畳み式物干し具の一実施形態を示す正面図である。
【図４】本発明の折り畳み式物干し具の一実施形態を示し、フック部材を枠体の上面に降ろした状態の平面図である。
【発明を実施するための形態】
【００１６】
図１に示すように、本発明の一実施形態の折り畳み式物干し具１は、略コ字状に形成された第一の枠体３および第二の枠体４に、複数の桟部材７が配設されているとともに、これら第一の枠体３および第二の枠体４の他端部３ｃ，４ｃ同士が回動自在に連結されて一対の枠体２をなし、この一対の枠体２に複数固のピンチｐと、一対の枠体２を水平に懸架するとともに、剛性を有するワイヤ部材５と、このワイヤ部材５を介して回動自在に接続されたフック部材６とを設けて概略構成されている。
【００１７】
ここで、略コ字状に形成された第一の枠体３は、対向配置された第一枠辺３ａと、これら第一枠辺３ａの一端部間に連続する第二枠辺３ｂとが一体成形されている。さらに、第一枠辺３ａの他端部３ｃ近傍間に、桟部材７として横桟７ａが架設されているとともに、この横桟７ａと第二枠辺３ｂとに桟部材７として、２本の縦桟７ｂが架設されて一体成形されている。また、縦桟７ｂは、横桟７ａの両端近傍から第二枠辺３ｂの中央に向かってハ字状に配設されている。
【００１８】
一方、略コ字状に形成された第二の枠体４は、対向配置された第一枠辺４ａと、これら第一枠辺４ａの一端部間に連続する第二枠辺４ｂとが一体成形されている。さらに、第一枠辺４ａの他端部４ｃ近傍間に、桟部材７として横桟７ａが架設されているとともに、横桟７ａと第二枠辺４ｂとに桟部材７として、２本の縦桟７ｂが架設されて一体成形されている。この縦桟７ｂは、横桟７ａの両端近傍から第二枠辺４ｂの中央に向かってハ字状に配設されている。
【００１９】
そして、第一の枠体３の第一枠辺３ａの各々の他端部３ｃと、第二の枠体４の第一枠辺４ａの各々の他端部４ｃとが、連結部８によって回動自在に連結されて、一対の枠体２をなしている。また、連結部８は、第一の枠体３の対向配置された第一枠辺３ａの他端部３ｃ、および第二の枠体４の対向配置された第一枠辺４ａの他端部４ｃとに、ドーナツ状の環状部材８ａが対向配置されて形成されているとともに、この環状部材８ａの貫通孔に支持部材８ｂが挿通され、第一の枠体３と第二の枠体４とが内折りになるように回動自在に連結されている。
【００２０】
また、第一の枠体３および第二の枠体４には、ワイヤ部材５が一対の枠体２の上面側に回動自在に接続されている。このワイヤ部材５は、剛性を有するステンレスにより形成されているとともに、少なくとも４本用いられ、第一の枠体３に２本、第二の枠体４に２本配設されている。
【００２１】
そして、第一の枠体３に配設された各々のワイヤ部材５は、一端部５ａが第一枠辺３ａと第二枠辺３ｂとの間の角隅部３ｄ近傍に、回動自在に接続されているとともに、他端部５ｂが第一枠辺３ａの他端部３ｃ近傍に、回動自在に接続されている。一方、第二の枠体４に配設された各々のワイヤ部材５は、一端部５ａが第一枠辺４ａと第二枠辺４ｂとの間の角隅部４ｄ近傍に、着脱可能に挿入されて係止されているとともに、回動自在に接続されている。また、他端部５ｂが第一枠辺４ａの他端部４ｃ近傍に、着脱可能に挿入されて係止されているとともに、回動自在に接続されている。
【００２２】
さらに、各々のワイヤ部材５は、一端部５ａと他端部５ｂとの間に屈曲部５ｃが形成されているとともに、他端部５ｂから屈曲部５ｃまでの一辺が、一対の枠体２の回動軸に対して平行に配設され、かつ屈曲部５ｃ近傍にフック部材６が回動自在に接続されている。このフック部材６は、スプリングの付勢に抗して開可能な開閉部材６ｂが設けられた鈎部６ａと、この鈎部６ａの下側に、鈎部６ａの軸線回りの方向に回転可能に設けられたフック台６ｃとにより構成されている。
【００２３】
また、フック部材６の鈎部６ａには、この鈎部６ａを間に挟んで開閉部材６ｂの反対側に、掛け部６ｄが一体に設けられている。さらに、フック台６ｃには、ワイヤ部材５を接続する取付部材６ｅが、第一の枠体３側と第二の枠体４側とに配設されているとともに、各々がフック台６ｃに回転自在に設けられている。この取付部材６ｅは、各々にワイヤ部材５が挿通する貫通孔が２箇所設けられて、一対の枠体２を水平に懸架するためのフック部材６が設けられている。
【００２４】
さらに、第一の枠体３および第二の枠体４の下面側に、複数個のピンチｐが設けられている。このピンチｐは、Ｓ字状の取付部材を介して懸架されている。
【００２５】
以上の構成による折り畳み式物干し具１を用いて、洗濯物を干す場合には、まず、折り畳まれた状態から、第一の枠体３と第二の枠体４とを開いた状態にする。このときに、図４に示すように、４本のワイヤ部材５は、第一の枠体３および第二の枠体４の上面に当接しているため、フック部材６に設けられたフック台６ｃの取付部材６ｅの貫通孔に、一対枠体２の回動軸と平行に配設された、ワイヤ部材５の屈曲部５ｃから他端部５ｂの一辺が挿通されて、第一の枠体３と第二の枠体４との回動がスムーズに行われる。
【００２６】
そして、フック部材６を掴み、鈎部６ａに設けられた開閉部材６ｂをスプリングの付勢に抗して開き、鈎部６ａを物干し竿ｔに掛ける。この際に、図１〜図３に示すように、４本のワイヤ部材５は、第一の枠体３および第二の枠体４の上面から上方に浮上し、フック部材６のフック台６ｃに設けられた取付部材６ｅの貫通孔に、ワイヤ部材５の屈曲部５ｃ近傍が当接して、フック部材６が一対の枠体２の中央部に固定される。
【００２７】
次いで、一対の枠体２の下面側に懸架されている複数個のピンチｐに、洗濯物を挟んで吊す。この際に、トレーナやジーンズなど、水分を含むと重くなる洗濯物を吊りした場合、一対の枠体２は、第一の枠体３の他端部３ｃ近傍と角隅部３ｄ近傍とが、２本のワイヤ部材５によって４点で支持され、第二の枠体４の他端部４ｃ近傍と角隅部４ｄ近傍とが、２本のワイヤ部材５によって４点で支持されているため、第一の枠体３および第二の枠体４に加わった洗濯物の荷重を、４本のワイヤ部材５によって受けることになる。これにより、第一の枠体３および第二の枠体４が撓んだりすることがないとともに、第一の枠体３の他端部３ｃと第二の枠体４の他端部４ｃとの連結部８に、折り畳み方向とは逆の回転モーメントが作用せず、連結部８への負担が軽減される。
【００２８】
また、屋外に設置された物干し竿などに、折り畳み式物干し具１を干している際に、突然の雨や、この折り畳み式物干し具１を屋内に移動した場合、フック部材６の鈎部６ａを間に挟んで開閉部材６ｂの反対側に設けられた掛け部６ｄを、鴨居やカーテンレールに掛けることにより、容易に、または一時的に室内に干すことができる。
【００２９】
そして、折り畳み式物干し具１のピンチｐに吊りしてた洗濯物が乾いて、ピンチｐから洗濯物を取り外し、折り畳み式物干し具１を折り畳む場合には、フック部材６を掴み、一対の枠体２の上面に、フック部材６を降ろして、ワイヤ部材５を一対の枠体２の上面に当接させた後に、第一の枠体３と第二の枠体４をピンチｐが懸架されている側に折り畳む、いわゆる内折りにする。そして、ワイヤ部材５が回動自在に接続された取付部材６ｅとフック台６ｃとを回動させて、フック部材６を折り畳んだ第一の枠体３と第二の枠体４との間に収めた後に、折り畳み式物干し具１を所定の場所に収納する。
【００３０】
上述の実施形態による折り畳み式物干し具１によれば、略コ字状に形成された第一の枠体３の他端部３ｃと第二の枠体４の他端部４ｃとが回動自在に連結された一対の枠体２に接続されたワイヤ部材５が、少なくとも４本用いられて、各々のワイヤ部材５の一端部５ａが第一の枠体３に対向配置された第一枠辺３ａと第二枠辺３ｂとの角隅部３ｄ近傍、および第二の枠体４に対向配置された第一枠辺４ａと第二枠辺４ｂとの角隅部４ｄ近傍に回動自在に接続されているとともに、他端部５ｂが第一の枠体３に対向配置された第一枠辺３ａの他端部３ｃ近傍、および第二の枠体４に対向配置された第一枠辺４ａの他端部４ｃ近傍に回動自在に接続され、かつワイヤ部材５の一端部５ａと他端部５ｃとの間に形成された屈曲部５ｃに、フック部材６が回動自在に接続されているため、一対の枠体２をフック部材６により水平に懸架する際に、各々の枠体３，４の他端部３ｃ，４ｃ近傍により４点、この他端部３ｃ，４ｃから離反した各々の角隅部３ｄ，４ｄにより４点の計８点で支持することができる。これにより、トレーナやジーンズなど水分を含むと重くなる洗濯物を複数のピンチｐにより吊した場合、一対の枠体２に加わる荷重を４本のワイヤ部材５によって受けることができ、一対の枠体２が撓むことがないとともに、一対の枠体２を回動自在に連結している連結部８に、折り畳み方向とは逆の回転モーメントが作用せず、当該連結部８への負担を軽減させることができる。
【００３１】
また、一対の枠体２を４本のワイヤ部材５により、各々の他端部３ｃ，４ｃ近傍と、この他端部３ｃ，４ｃから離反した各々の角隅部３ｄ，４ｄとを支持することで、一対の枠体２に剛性を持たせることができるため、一対の枠体２が内折り構造であっても、第一の枠体３および第二の枠体４に配設する桟部材７、または第一の枠体３および第二の枠体４に用いられる材料を抑えて、軽量化を図ることができる。この結果、製造コストを抑えることができるとともに、物干し竿ｔなどに掛けたり、または外したりする際に、腕や肩への負担を軽減させることができる。
【００３２】
そして、ワイヤ部材５の各々の他端部５ｂから屈曲部５ｃまでの一辺が、平面視において、一対の枠体２の回動軸に対して平行に配設されているため、回動自在に連結された一対の枠体２を折り畳んだり、開いたりする際に、ワイヤ部材５の屈曲部６ｃ近傍と、この屈曲部６ｃ近傍が回動自在に接続されたフック台６ｃの取付部材６ｅとをスムーズに回動させて、一対の枠体２の開閉を容易に行うことができる。
【００３３】
なお、上記実施の形態において、第一の枠体３と第二の枠体４とを略コ字状に一体成形する場合のみ説明したが、これに限定されるものでなく、例えば、角形環状に一体成形した第一の枠体３と第二の枠体４とを用いても対向可能である。
【産業上の利用可能性】
【００３４】
折り畳み式物干し具に利用することができる。
【符号の説明】
【００３５】
１  折り畳み式物干し具
２  枠体
３  第一の枠体
３ａ  第一枠辺
３ｂ  第二枠辺
３ｃ  他端部
３ｄ  角隅部
４  第二の枠体
４ａ  第一枠辺
４ｂ  第二枠辺
４ｃ  他端部
４ｂ  角隅部
５  ワイヤ部材
６  フック部材
７  桟部材
７ａ  横桟
７ｂ  縦桟
８  連結部
ｐ  ピンチ
【図１】
0005786626.tif 000002
【図２】
0005786626.tif 000003
【図３】
0005786626.tif 000004
【図４】
0005786626.tif 000005